(57)【要約】【課題】  シングルハル貨物船（シングルハルタンカー）をダブルハル化に改造することは、貴重な財産の延命を図ることで好ましいが、既存の手法では工期が非常に長く掛かりその期間の運航停止が問題である。また工事コストも莫大なものとなる。【解決手段】  対象船舶の貨物槽又は貨物倉部分を包み込むダブルハル構造体の主体部を予め建造した上で進水させ岸壁に保留しておき、入港した対象船舶と該ダブルハル構造体の主体部の喫水調整を行なった上で、該対象船舶の前方或いは後方から該ダブルハル構造体の主体部を移動させてこれらを嵌め合わせ、その後、該主体部以外のダブルハル構造体の設置工事、一体化工事、塗装工事、を施す工法であって、該ダブルハル構造体の主体部の両側にそれぞれ、着脱自在な浮力タンクが取設されている。【選択図】        図２
2009113734.tif 000002
【特許請求の範囲】
【請求項１】
対象船舶の貨物槽又は貨物倉部分を包み込むダブルハル構造体の主体部を予め建造した上で進水させ岸壁に保留しておき、入港した対象船舶と該ダブルハル構造体の主体部の喫水調整を行なった上で、該対象船舶の前方或いは後方から該ダブルハル構造体の主体部を移動させてこれらを嵌め合わせ、その後、該主体部以外のダブルハル構造体の設置工事、一体化工事、塗装工事、を施す工法であって、該ダブルハル構造体の主体部の両側にそれぞれ、着脱自在な浮力タンクが取設されているものであることを特徴とするシングルハル貨物船のダブルハル化工法。
【請求項２】
入港した対象船舶を該ダブルハル構造体の主体部に嵌め合わせる前に、一旦ドックに入渠させて外板外部塗装を含む前処理を施してから出渠させる工程を有する請求項１記載のシングルハル貨物船のダブルハル化工法。
【発明の詳細な説明】
【技術分野】
【０００１】
本発明は、シングルハル貨物船、特にシングルハルタンカーをダブルハル化に改造するための、効率的な工法に関するものである。
【背景技術】
【０００２】
２００２年１１月スペイン沖で発生した油タンカーによる大規模油流出事故を直接的な契機として２００３年１２月、シングルハルタンカーのフェーズアウトを促進しダブルハルタンカーの早期導入を目的とする「海洋汚染防止条約」の改正が採択され、２００５年４月５日発効している。
【０００３】
改正内容は要するに、シングルハルタンカーでの重質油の輸送を、経過措置は講ずるものの禁止してゆくことにある。おおまかに言うと、載貨重量トン（ＤＷＴ）が６００を超えるタンカーを対象とし、５０００ＤＷＴ以上のシングルハルタンカーは２０１０年までに段階的に廃船され（一部例外あり）、また重質油輸送については、５０００ＤＷＴ以上のタンカーでは２００５年から、６００〜５０００ＤＷＴのタンカーでは２００８年から、当該船舶の入港を入港国が拒否できる、というものである。
【０００４】
そこで船主は、この改正に合わせ順次対応していかねばならない。しかしタンカーは莫大な資金と時間を掛けて建造された財産であり、他の船体構造、推進機関、荷役設備等に問題がないのであれば、改造によって対応するという方策が当然選択肢の第一にある。
【特許文献１】特開平７−１１７７８５号公報
【発明の開示】
【発明が解決しようとする課題】
【０００５】
ところが、改造ではなく新造するとすれば、船の建造を計画的に行なうことで（即ち、当該船舶を廃船とする日が新造船の完成のあとになるよう調整することで）、運航停止期間をゼロとすることが可能であるのに対し、改造の場合には、少なくともドック入渠期間分の時間的ロスが生じ、当然ながら大きな経済的損失を招くことになる。
特に改造によって船体外部にダブルハル部分を形成させることは、通常の艤装工事と異なり極めて大掛かりとなり、コスト、工期とも多大なものとなる。
【課題を解決するための手段】
【０００６】
そこで本発明者は、こうした点に鑑み鋭意研究の結果遂に本発明を成したものであり、その特徴とするところは、対象船舶の貨物槽又は貨物倉部分を包み込むダブルハル構造体の主体部を予め建造した上で進水させ岸壁に保留しておき、入港した対象船舶と該ダブルハル構造体の主体部の喫水調整を行なった上で、該対象船舶の前方或いは後方から該ダブルハル構造体の主体部を移動させてこれらを嵌め合わせ、その後、該主体部以外のダブルハル構造体の設置工事、一体化工事、塗装工事、を施す工法であって、該ダブルハル構造体の主体部の両側にそれぞれ、着脱自在な浮力タンクが取設されている点にある。
【０００７】
要するに本発明は、シングルハル貨物船としての最後の入港地に、予めダブルハル構造体部分を合体可能な状態で建造しておき、これを洋上で一体化することで建造に要する時間を少なくするための工法である。その際本発明者が着目した点は、例えば現役のタンカーの「カーゴオイルタンク」部分は、端部以外はほとんど船幅が平行であるという点であり、だとすればスライドさせながらダブルハル構造部分を嵌め込むことが可能ではないかということから研究が始まった。
【０００８】
本発明方法の最大の特徴部分は、ダブルハル構造体のできるだけ多くの部分を地上で建造すること、そして洋上で確実安全に船舶本体と一体化するために、該構造部分両側に浮力タンクを取設していること、の二点にある。この浮力タンクは、ダブルハル構造部分が大型クレーン等を用いずに洋上に浮かぶことが目的であるが、更に船舶本体との喫水調整の際に浮力タンク側で浮力調整できると好適である。
【０００９】
なおここで「ダブルハル構造体」とは、対象となるシングルハル貨物船の貨物槽又は貨物倉部分、例えばオイルタンカーの場合であればカーゴオイルタンク部分を包み込む構造体であり、これによって強度上或いは法規上の要請に適うダブルハル化が成されることになる。なおこの構造体は個々の対象タンカーに沿った構造のものであり、基本的に個別に建造される。また建造の際、該対象タンカーの前方又は後方或いは下方から該ダブルハル構造体の主体部を移動させてこれらを嵌め合わせる、という手法で一体化される関係で、嵌め合わせを不可能或いは困難にさせる構造部分については、省略して建造しておき、嵌め合わせ後に設置することとする。即ち、嵌め合わせ前に建造する部分と嵌め合わせた後に設置する部分の双方を併せて「ダブルハル構造体」と言うものとする。換言すると、「ダブルハル構造体」は、予め建造される部分と嵌め合わせ後に船舶本体に設置される部分とがあり、予め建造される部分を「主体部」と言う。勿論この主体部は、可能な限り大きくなるよう綿密な設計が求められることになる。
【００１０】
なお必要とあらば、船舶本体側の嵌め合わせ部分（ダブルハルとする範囲）の作業を行うために、一旦ドックに入渠するようにしても良い。その場合ダブルハル構造体の主体部との合体は、ドックを出渠してからということになる。作業は、外板外部塗装のやり直しや、仕様変更に伴う諸改造、貨物タンク内部のガス除去、等々である。
【発明の効果】
【００１１】
本発明のタンカーのダブルハル化工法は、以下述べる如き効果を有する極めて高度な発明である。
【００１２】
（１）  現存船を有効活用することで、貴重な財産の延命を図ることができる。
（２）  ダブルハル構造体の主体部については、船舶本体とは別体で建造されるものであるので、船舶本体がドック入渠することによる運航停止期間を大幅に短縮できる。
（３）  ダブルハル構造体の主体部は浮力タンクを具備しているので、クレーン吊持の必要なく自身で洋上に存在できる。
（４）  ダブルハル構造体が付設されることで対象船舶の載貨重量トンが増大する。
【発明を実施するための最良の形態】
【００１３】
以下図面に基づき本発明方法を更に詳細に説明する。
【実施例】
【００１４】
図１（ａ）（ｂ）は本発明に係るシングルハル貨物船のダブルハル化工法の対象となるシングルハルタンカー１の一例を示すものであり、同図（ａ）は概略平面図、同図（ｂ）は概略側面図である。図より明らかなように本例の対象タンカー１はいわゆるオイルタンカーであって、そのほとんどの容積を占めるカーゴオイルタンク部２（一般貨物船で言うところの貨物槽に相当）と、その前後に船首部３と機関室部４が配置された構造となった船舶である。カーゴオイルタンク部２は、複数に分画されているがその詳細については説明を省略する。そしてダブルハル構造が求められるゾーンはこのカーゴオイルタンク部２である。
【００１５】
またこのカーゴオイルタンク部２は、全長中Ｌの部分については船体が平行となっており、Ｌ以外の部分の長さは僅かでしかない。
【００１６】
図２（ａ）（ｂ）は、図１で示した対象タンカー１用のダブルハル構造体の主体部５の建造例を示すものである。該主体部５は、セパレート化された分割体５１をドック内で組み立て一体化する。また該主体部５の両側には、浮力タンク６が取設される。本例の浮力タンク６は、ダブルハル構造体の主体部５の全長の約半分の長さを有し、内部には隔壁を設けて前後のバランス調整が図れるものとしているが、両側それぞれに複数個の浮力タンクを配置するようにしても良い。なおこの浮力タンク６は、ダブルハル化工事が完了した段階で撤去されることになるが、その際撤去作業を簡便なものとするために、ダブルハル構造体の主体部５の両側に仮枠材５２を取り付け、これを浮力で持ち上げる形でダブルハル構造体の主体部５を浮かせる。従って、ダブルハル化工事完了後に浮力タンク６の浮力を減少させ沈下すると簡単に分離できることになる。その後当然仮枠材５２も撤去されるので、仮枠材５２は予め取り外しが容易となる形で取り付けておくのが好ましい。
【００１７】
完成したダブルハル構造体の主体部５は、ドック内に海水を入れ出渠させる。この時浮力タンク６の存在によって浮かんでいるだけであるので、タグボート等外部からの力を借りて岸壁の適当な位置まで移動させるようにする。
【００１８】
この段階で初めて船舶本体であるところの対象タンカー１をダブルハル構造体の主体部５の位置に移動させる。従って、この段階までは本船の営業運航が可能である。
図３（ａ）（ｂ）は、対象タンカー１及びダブルハル構造体の主体部５の洋上での喫水位置を示したものである。本例の場合、同図（ａ）で示した対象タンカー１の喫水位置Ａについては調整せず固定されており、同図（ｂ）で示したダブルハル構造体の主体部５側で調整する。同図（ｂ）は合体時の喫水位置であるが、嵌め合わせ中は喫水線を僅かに上げ（即ちダブルハル構造体の主体部５を僅かに沈下させ）、適切な位置に到達した段階で喫水線を下げて合体させるという手順となる。なお喫水線を僅かに上げるという手法を採らず、浮力タンク６の浮力を更に落とし、ダブルハル構造体の主体部５を完全に水没させるようにしても良い。岸壁近傍の海底の状況に恵まれていれば、水没させた方が波等の影響を受けず却って作業が容易になる場合がある。
【００１９】
合体後図４の如く、対象タンカー１（仮取付されたダブルハル構造体の主体部５を伴っている）をドックに入渠させ、残りのダブルハル構造体を取り付け、更に、本溶接、艤装作業の施工をし、工事終了となる。
【００２０】
なおここまで対象船舶の例としてシングルハルオイルタンカーを挙げ説明してきたが、本発明工法はオイルタンカーに限らず、他のタンカー、或いは一般貨物船、コンテナ船、自動車運搬船等の貨物船舶に適用することも可能であるし、更には、他の貨物船をタンカーに用途変更する際の改造の一環として本発明工法を適用してもその効果は絶大なものとなる（図示略）。
【図面の簡単な説明】
【００２１】
【図１】（ａ）（ｂ）は本発明工法の対象であるシングルハルタンカーの一例を示すもので、同図（ａ）は概略平面図、同図（ｂ）は概略側面図である。
【図２】（ａ）（ｂ）は、図１で示した対象タンカー用のダブルハル構造体の主体部の建造例を示すもので、同図（ａ）は概略正面図、同図（ｂ）は概略側面図である。
【図３】（ａ）（ｂ）は、対象タンカー及びダブルハル構造体の主体部の洋上での喫水位置を示すもので、同図（ａ）は対象タンカー、同図（ｂ）はダブルハル構造体の主体部の、いずれも概略正面図である。
【図４】対象タンカーにダブルハル構造体の主体部を仮取り付けし、ドックに入渠させた状態を示す概略側面図である。
【符号の説明】
【００２２】
１    本発明工法の対象となるシングルハルタンカー（対象タンカー）
２    カーゴオイルタンク部
３    船首部
４    機関室部
５    ダブルハル構造体の主体部
５１  分割体
５２  仮枠材
６    浮力タンク
【図１】
2009113734.tif 000003
【図２】
2009113734.tif 000004
【図３】
2009113734.tif 000005
【図４】
2009113734.tif 000006